(57)【要約】【課題】思わぬ場所への露付が解消し、操作性が良く、支持体にしっかり立設できて安定性が良い空気調和機の左右風向板の支持構造を提供する。【解決手段】左右風向板の支持体に設けたボス部に左右風向板の軸部を挿入して支持し、左右風向板を軸部周りに回動させて風向を変更する左右風向板の支持構造を備えた空気調和機において、左右風向板の軸部と風向部の間に鍔部を設け、軸部にスリットを入れて軸方向に分割して複数の部分軸にし、部分軸の先端に左右風向板をボス部に係止する係止爪を形成すると共に、ボス部に孔設された軸孔の鍔側孔端と鍔部が当接しない。【選択図】  図４
2011169501.tif 000002
【特許請求の範囲】
【請求項１】
左右風向板の支持体に設けたボス部に左右風向板の軸部を挿入して支持し、左右風向板を軸部周りに回動させて風向を変更する左右風向板の支持構造を備えた空気調和機において、
前記左右風向板の前記軸部と風向部の間に鍔部を設け、前記軸部にスリットを入れて軸方向に分割して複数の部分軸にし、前記部分軸の先端に前記左右風向板を前記ボス部に係止する係止爪を形成すると共に、前記ボス部に孔設された軸孔の鍔側孔端と前記鍔部とが当接しないことを特徴とする空気調和機。
【請求項２】
左右風向板の支持体に設けたボス部に左右風向板の軸部を挿入して支持し、左右風向板を軸部周りに回動させて風向を変更する左右風向板の支持構造を備えた空気調和機において、
前記左右風向板の前記軸部と風向部との間に鍔部を備え、
前記軸部にスリットを入れて軸方向に分割された部分軸の先端に、前記左右風向板を前記ボス部に係止するための係止爪を備え、
前記鍔部の前記軸部側から前記係止爪までの軸方向の距離をＡ、
前記支持体と前記鍔部との当接部から前記係止部までの軸方向の距離をＢ、
前記ボス部に孔設された軸孔の鍔側孔端から前記係止部までの軸方向の距離をＣ、
とするとき、
Ｂ≧Ａ＞Ｃ
の関係を有することを特徴とする空気調和機。
【請求項３】
請求項１又は２において、前記左右風向板を前記ボス部に装着したときに前記鍔部と前記支持体とが当接する当接部から、前記係止爪までの軸方向の距離の、装着後の距離が、装着前の距離以上になることを特徴とする空気調和機。
【請求項４】
請求項１又は２において、前記左右風向板を前記ボス部に装着したときに前記鍔部と前記支持体とが当接する当接部から、前記係止爪が係止する、前記ボス部の前記係止部までの、前記支持体における軸方向の距離が、前記ボス部に装着する前の前記左右風向板の、該当接部から、前記係止爪までの軸方向の距離以上にすることを特徴とする空気調和機。
【請求項５】
請求項３又は４において、前記係止爪が係止する、前記ボス部の係止部から、前記当接部までの、前記支持体における軸方向の距離、及び、前記ボス部に装着する前の前記左右風向板の、前記当接部から、前記係止爪までの軸方向の距離が、前記係止部から、前記ボス部に孔設された軸孔の前記鍔部側の前記鍔側孔端までの距離より大きいことを特徴とする空気調和機。
【請求項６】
請求項３又は４において、前記左右風向板の前記鍔側の軸部開始隅から、前記係止爪までの軸方向の距離が、前記左右風向板装着前の前記当接部から、前記係止爪までの軸方向の距離より大きいことを特徴とする空気調和機。
【請求項７】
請求項３又は４において、前記支持体の前記当接部を前記支持体表面より沈み込ませて段差を設けることを特徴とする空気調和機。
【発明の詳細な説明】
【技術分野】
【０００１】
本発明は空気調和機にかかり、特に左右風向板の固定構造に関する。
【背景技術】
【０００２】
今日、技術の進歩により種々の家電製品が市場に溢れている。その中から、消費者が家電製品を選ぶ場合、機能が充実していることも然ることながら、高級感を持った外観，信頼感を醸成する確かな造りと言った、製品そのものが持っている形も大きな選定のポイントとなる。
【０００３】
これが、空気調和機と言った、成熟製品であれば、製造メーカ間の技術の差は小さく、みな夫々に、各種の機能をうたい文句に自社製品の優越性を訴求することとなり、消費者がそれらを充分咀嚼して比較することは困難を極める。また、往々にして、それらの機能の差は喧伝されているほどの実用上の差を生まないことが多いのも事実である。
【０００４】
このような状況の中、消費者としては、メーカの宣伝には惑わされずに、自分の感性を頼りに商品を選定することも、賢い、自立した消費者として不可欠な要素である。この時、消費者の行動として操作部分を操作してみて、確かなしっかりした感触を得ることができれば、「製品が丁寧に、手抜きせずに作られている。」と感じ、逆の場合は、「製品が杜撰で、手抜きがあるのではないか？」と感じる。
【０００５】
この感じは、消費者が実際に触れた部分に留まらず、製品全体の評価につながり、購買意欲に侮れない影響を与える。このため、製品の細部に亘って、色々な改良が重ねられている。空気調和機の左右風向板についても、同様の取組みが行われ、様々な点で色々な工夫がなされ、左右風向板を操作したときに、スムーズに動くか、左右風向板にぐらつきが無いか、不揃いで違和感のある組立てになることが無いかなど、きめ細かなチェックが行われている。この種の従来技術として、特許文献１−３が知られている。
【０００６】
特許文献１は爪部の先端形状を２段の凸形状にし、爪部根元の、円形孔部の金型パーティングライン端面相対位置に凹形状の溝を設けて、左右風向偏向羽根を取付ける際に羽根部爪の面ダレによる返りが発生してもそれを逃がす空隙を設けることで、左右風向偏向羽根の取付け作業を容易にする空気調和機室内ユニットについて述べている。
【０００７】
特許文献２はドレンパンの底部に、外壁以上の高さで上方へ連なるボスを設け、このボスの軸孔に垂直羽根の軸部を嵌合して抜け止めにすることで、ドレンパンのドレン水が軸孔から漏れ出すおそれがなく、また、吹出通路の通路面積が減少せず、垂直羽根がぐらつきにくくなると共に、ドレンパンが大型化せず、金型コストが安くなる空調用室内機の垂直羽根取付け構造について述べている。
【０００８】
特許文献３は従来、風向板の取付爪が左右２ヶ所で、風向板が穴部から抜けるのを防止するため爪部を必要寸法だけ幅広にしなければならず、風向板の挿入作業がやりにくかったのを、風向板の取付爪を３ヶ所にし、各取付爪の間に空隙を設けることで、風向板の固定が確実に行え、且つ挿入が容易になる空気調和機の風向偏向羽根固定装置について述べている。
【先行技術文献】
【特許文献】
【０００９】
【特許文献１】特開２００３−１０６６３５号公報
【特許文献２】実開平５−５４９５０号公報
【特許文献３】実開昭６２−４０４４５号公報
【発明の概要】
【発明が解決しようとする課題】
【００１０】
空気調和機の左右風向板の取付では、空気調和機の吹出し風路を構成するキャビネットなどを左右風向板の支持体とし、支持体に設けたボス部に開けた軸穴に左右風向板の軸部を挿入し、軸部の弾性で左右風向板を立設することが行われている。左右風向板の軸部を支持体のボス部に挿入する時、係止爪を支える部分軸が軸孔内面に押されて内方に変形し、鍔部の軸部側が支持体に当たる迄、軸孔内面を案内面として挿入される。
【００１１】
係止爪が係止部に達すると、本来であれば、係止爪を支える部分軸の弾性で部分軸が元に戻ろうと拡がり、それにつれて、係止部がボス部の係止部に引っ掛かり、左右風向板が固定される。しかし、この状態では、係止爪の先端が軸孔の内面を押しながら挿入する時に生ずるダレや、往々にして、この部に設けられることの多いパーティングラインによって生ずる成形上のバリなどにより、係止爪が軸孔に引っ掛かって、部分軸の弾性で係止爪が拡がるのが妨げられる。
【００１２】
このため、左右風向板の押込み可能寸法を大きくしておいて、係止爪が係止部に達してから、尚も左右風向板に押し込む。こうすると、係止爪が係止部を完全に乗り越え、部分軸の弾性で係止爪が拡がり、係止部に引っ掛かるようになる。このように、左右風向板の押込み可能寸法を大きくしているので、左右風向板を支持体に組立てた状態では、左右風向板の係止爪とボス部の係止部との間に、軸方向の隙間が生ずる。この隙間によって、左右風向板が上下にぐらつき、消費者に不安感を引起す。
【００１３】
また、左右風向板がぐらつくため、左右に風向を偏向する時に、風向板が意図したところに止まらないなど、操作性も悪くなり、また、送風ファン運転時の振動でビビリ音が発生して、五月蝿くなり、更にまた、この隙間を通して、空気が流通し、冷房運転時に思わぬ場所に露付が発生し、室内に滴下したり、吹出し口から飛散する現象も生ずる。
【００１４】
特許文献１，２では露付やぐらつきを防ぐ構造についての言及は無い。
【００１５】
特許文献３では取付爪を増やしても、係合部と吹出しグリルの穴部の軸方向の寸法差によるぐらつきは解消しない。また、露付を防ぐ構造についての言及も無い。
【００１６】
本発明が解決しようとする課題は、思わぬ場所への露付が解消し、操作性が良く、支持体にしっかり立設できて安定性が良い左右風向板の支持構造を備えた空気調和機を提供することにある。
【課題を解決するための手段】
【００１７】
左右風向板のぐらつきを抑制するため、左右風向板の軸部とボス部の軸穴をきつくすることが行われている。しかし、左右風向板の軸部とボス部の軸穴をきつくすることは、軸部を軸穴に挿入する時の作業をし難くすると共に、軸部と軸穴の磨耗の増大につながり、磨耗によるぐらつきが起きて、空気調和機運転時の僅かな振動で、ビリビリ音を出すようになって、消費者が不満を募らせるようになり、メーカのイメージダウンになる。
【００１８】
また、係止爪の係止部側に傾斜を設けて、部分軸が弾性によって元に戻ろうと拡がる時の力で、左右風向板自身をボス部に引き込む方式も考えられるが、傾斜を設ける距離が短く、且つ、この部にパーティングラインが来ることが多いため、問題を解決することは困難である。
【００１９】
また、軸部と軸穴の摺動部に潤滑油を塗布して、磨耗を抑えることも考えられるが、長い間には、この潤滑油が流れ落ちてしまったり、埃が付着して潤滑作用を失って、きつくなり、左右風向板が動かなくなる恐れも有る。
【００２０】
本発明が解決しようとする課題は、左右風向板の支持体に設けたボス部に左右風向板の軸部を挿入して支持し、左右風向板を軸部周りに回動させて風向を変更する左右風向板の支持構造を備えた空気調和機において、左右風向板の軸部と風向部の間に鍔部を設け、軸部にスリットを入れて軸方向に分割して複数の部分軸にし、少なくとも２以上の部分軸の先端に左右風向板をボス部に係止する係止爪を形成すると共に、ボス部に孔設された軸孔の鍔側孔端と鍔部が当接しないことにより達成される。
【００２１】
また、左右風向板の支持体に設けたボス部に左右風向板の軸部を挿入して支持し、左右風向板を軸部周りに回動させて風向を変更する左右風向板の支持構造を備えた空気調和機において、左右風向板の軸部と風向部との間に鍔部を備え、軸部にスリットを入れて軸方向に分割された部分軸の先端に、左右風向板をボス部に係止するための係止爪を備え、鍔部の軸部側から係止爪までの軸方向の距離をＡ、支持体と鍔部との当接部から係止部までの軸方向の距離をＢ、ボス部に孔設された軸孔の鍔側孔端から係止部までの軸方向の距離をＣ、とするとき、Ｂ≧Ａ＞Ｃの関係を有することにより達成される。
【００２２】
請求項３に記載の空気調和機は、左右風向板をボス部に装着したときに鍔部と支持体とが当接する当接部から、係止爪までの軸方向の距離の、装着後の距離が、装着前の距離以上になるものである。
【００２３】
請求項４に記載の空気調和機は、左右風向板をボス部に装着したときに鍔部と支持体とが当接する当接部から、係止爪が係止する、ボス部の係止部までの、支持体における軸方向の距離が、ボス部に装着する前の左右風向板の、該当接部から、係止爪までの軸方向の距離以上にするものである。
【００２４】
請求項５に記載の空気調和機は、係止爪が係止する、ボス部の係止部から、当接部までの、支持体における軸方向の距離、及び、該ボス部に装着する前の左右風向板の、当接部から、該係止爪までの軸方向の距離が、係止部から、ボス部に孔設された軸孔の鍔部側の鍔側孔端までの距離より大きいものである。
【００２５】
請求項６に記載の空気調和機は、左右風向板の鍔側の軸部開始隅から、係止爪までの軸方向の距離が、左右風向板装着前の当接部から、係止爪までの軸方向の距離より大きいものである。
【００２６】
請求項７に記載の空気調和機は、支持体の当接部を支持体表面より沈み込ませて段差を設けるものである。
【発明の効果】
【００２７】
請求項１，２に記載の発明によれば、思わぬ場所への露付が解消し、操作性が良く、持体にしっかり立設できて安定性が良い。請求項３，４に記載の発明によれば、操作性が良く、支持体にしっかり立設できて安定性が良い。請求項５，６によれば、成形型を簡易化して製造コストを低減できる。請求項７によれば、寸法調整用の薄板の位置が固定され操作力のバラツキが小さくなる。
【図面の簡単な説明】
【００２８】
【図１】空気調和機の全体構成図。
【図２】本発明の実施例の室内ユニットの全体図。
【図３】本発明の実施例の室内ユニットの側断面図。
【図４】本発明の実施例１の左右風向板支持構造の説明図。
【図５】本発明の実施例２の左右風向板支持構造の説明図。
【図６】従来の左右風向板支持構造の断面図。
【発明を実施するための形態】
【００２９】
以下、本発明を具体化した実施例について図１〜図５を用いて説明する。
【００３０】
まず、空気調和機の概要について図１〜図３を用いて説明する。図１は空気調和機の全体構成図である。図２は本発明の実施例の室内ユニットの全体図である。図３は本発明の実施例の室内ユニットの側断面図である。
【００３１】
空気調和機は、室内機１７と室外機２２を接続配管２１でつなぎ、室内を空気調和する。
【００３２】
室内機１７は、前方に前面パネル１が設けられ、上方に上面グリル２が設けられる。前面パネル１の上部は、ユニット枠３に着脱自在に取付けられる。また、運転中、前面パネル１の前方の開閉用パネル１ａは、下部を支点にして回動し、前面にも吸込口を開成する。上面グリル２は、ユニット枠３に着脱可能に取付けられる。室内機１７の上方には、室内空気を吸込む吸込口１６が設けられ、室内機１７の下方には、調和空気を室内機１７から室内に吹出す吹出口１５が設けられる。
【００３３】
吹出口１５は、ケーシング９に取付けられた上下風向板１１の回動により、開閉自在である。また、上下風向板１１は、室内機１７から吹出す気流を上下に風向制御して、室内に送風する。
【００３４】
このように、室内機１７は、前面パネル１，上面グリル２，ユニット枠３，上下風向板１１，ケーシング９等によって構成される。
【００３５】
室内機１７の前面パネル１と上面グリル２との内方には、プレフィルター４が設置される。プレフィルター４は、ユニット枠３に着脱自在に取付けられる。プレフィルター４の内方には、室内機１７の前方に位置するように、空清フィルター５が配設される。空清フィルター５は、ユニット枠３に着脱自在に取付けられる。
【００３６】
空清フィルター５の内方には、パイプとフィンで構成された熱交換器７が配設される。熱交換器７は、水平方向の長さが略等しい送風ファン８を囲繞するように配置される。具体的には、熱交換器７は、室内機１７上方の一箇所、前方の二箇所の合計三箇所で区切ることで、送風ファン８を囲うように配置される。送風ファン８は、ケーシング９の間に配置され、送風ファン８の回転軸はモータに連結される。
【００３７】
吹出口１５には、左右方向に所定間隔で左右風向板１０が配設される。具体的に、左右風向板１０は、ケーシング９に対して回転軸１３で回転自在に軸支される。
【００３８】
冷媒用銅パイプ１４は、室内機１７の後方に、その周囲が断熱材で覆われるように配管される。
【００３９】
前面パネル１の表示部１８の奥には、電装部１２が設けられ、電気部品が収納される。また、電装部１２の制御基板には、マイコンが設けられており、リモコン２０から送られた信号を受光部１９で受信して、空気調和機の運転を制御する。電装部１２の電光色を運転モードに合わせて変化させることで、表示部１８の表示色で運転モードを判断させることもできる。
【００４０】
室内機１７がリモコン２０からの運転信号を受信すると、運転が開始され、マイコン制御によって前面パネル１の開閉用パネル１ａが、下部を支点にして前方へ回動して所定角度傾き、室内機１７の上部が開口され、上下風向板１１も、回動して、室内機１７の吹出口を開かせる。
【００４１】
室外機２２も作動を開始し、室外機２２から送られた冷媒は、冷媒用銅パイプ１４を通って熱交換器７に循環する。送風ファン８に連結するモータは、マイコン制御により、運転状態に合わせて適宜，駆動される。
【００４２】
送風ファン８が、図３において右回りに回転すると、前面パネル１の開口部と上面グリル２から、室内空気が吸込まれる（以下、吸込空気）。吸込空気は、プレフィルター４を通過して室内機１７の内部に流れ、吸込空気がプレフィルター４を通過するとき、同時に吸込まれた埃等が取り除かれ、プレフィルター４の内方の空清フィルター５を通過するとき、さらに微細な埃等が除去され清浄な空気となる。
【００４３】
次に、吸込空気は熱交換器７へ流入して熱交換され、送風ファン８へ流れ、ケーシング９側へ流れ出ていく。送風ファン８からの吹出空気は、ケーシング９の下流側に設けられた左右風向板１０，上下風向板１１を通過して、風向制御されて室内に送風される。
【００４４】
一方、運転を停止するときは、送風ファン８の駆動を停止した後に、開閉用パネル１ａと上下風向板１１を回動させて、開口を閉じるように制御する。
【００４５】
また、熱交換器７の下方には、露受皿が配設されており、冷房運転時や除湿運転時に、熱交換器７に発生する凝縮水を受け止める。露受皿に集められた凝縮水は、ドレン配管２３を通って室外に排出される。
【００４６】
このように、室内空気の流路が形成される。すなわち、送風ファン８を駆動させることで、室内空気が吸込口１６から吸込まれ、プレフィルター４，空清フィルター５を通過して、熱交換器７において熱交換された後、吹出口１５から室内に吹出される。
【００４７】
左右風向板１０は風向部１０ａが縦羽根になっていて、吹出口１５の位置に、この縦羽根を横一列に所定間隔で複数ならべて配置し、左右に回動させることで、風向を左右に制御している。また、上下風向板１１は、吹出口１５の位置に、横羽根を水平にならべ、上下に回動させることで、風向を上下に制御している。
【００４８】
これにより、吹出口１５からの吹出空気は、左右風向板１０と、上下風向板１１とによって風向制御されて、目的とする方向へと送風される。また、左右風向板１０は、回転軸１３によって背部のケーシング９に回転自在に軸支されている。上記複数の左右風向板１０は、吹出口１５の略水平方向に配設される棒状の連結部材６で連結されて、連結部材６の動作に連動して、同じ方向に向き変向する。
【００４９】
本発明の左右風向板の支持構造を説明する前に、従来の左右風向板の支持構造について図６を用いて説明する。図６は従来の左右風向板支持構造の断面図、（ａ）は左右風向板の軸部拡大図、（ｂ）は支持体のボス部拡大図、（ｃ）は左右風向板取付状態断面図である。
【００５０】
従来、空気調和機の左右風向板１０の取付けでは、図６のように、空気調和機の吹出し風路を構成するケーシング９などを左右風向板１０の支持体３０とし、支持体３０に設けたボス部３１に開けた軸穴３１ｂに左右風向板１０の軸部１０ｃを挿入し、軸部１０ｃの弾性で左右風向板１０を立設することが行われている。左右風向板１０の軸部１０ｃを支持体３０のボス部３１に挿入する時、係止爪１０ｅを支える部分軸１０ｄが軸孔３１ｂ内面に押されて内方に変形し、鍔部１０ｂの軸部側１０ｂ′が支持体３０に当たる迄、軸孔３１ｂ内面を案内面として挿入される。
【００５１】
係止爪１０ｅが係止部３１ｃに達すると、本来であれば、係止爪１０ｅを支える部分軸１０ｄの弾性で部分軸１０ｄが元に戻ろうと拡がり、それにつれて、係止爪１０ｅがボス部３１の係止部３１ｃに引っ掛かり、左右風向板１０が固定される。しかし、この状態では、係止爪１０ｅの先端が軸孔３１ｂの内面を押しながら挿入する時に生ずるダレや、往々にして、この部に設けられることの多いパーティングラインによって生ずる成形上のバリなどにより、係止爪１０ｅが軸孔３１ｂに引っ掛かって、部分軸１０ｄの弾性で係止爪１０ｅが拡がるのが妨げられる。
【００５２】
係止爪１０ｅが係止部３１ｃに達してから、尚も左右風向板１０を押し込むと、係止爪１０ｅが係止部３１ｃを完全に乗り越え、部分軸１０ｄの弾性で係止爪１０ｅが拡がり、係止部３１ｃに引っ掛かるようになる。このように、左右風向板１０を支持体３０に組立てた状態では、左右風向板１０の係止爪１０ｅとボス部３１の係止部３１ｃとの間に、軸方向の隙間が生ずる。この隙間によって、左右風向板１０が上下にぐらつき、消費者に不信感を引起す恐れがある。
【実施例１】
【００５３】
以下に、これを払拭する本発明の左右風向板の支持構造について図４を用いて説明する。図４は本発明の実施例１の左右風向板支持構造の説明図、（ａ）は左右風向板の軸部拡大図、（ｂ）は支持体のボス部拡大図、（ｃ）は左右風向板取付け状態断面図である。
【００５４】
本発明による空気調和機の左右風向板１０の取付けでは、図４のように、空気調和機の吹出し風路を構成するケーシング９を左右風向板１０の支持体３０とし、支持体３０に設けたボス部３１に開けた軸穴３１ｂに左右風向板１０の軸部１０ｃを挿入し、軸部１０ｃの弾性で左右風向板１０を立設する。左右風向板１０の軸部１０ｃを支持体３０のボス部３１に挿入する時、係止爪１０ｅを支える部分軸１０ｄが軸孔３１ｂ内面に押されて内方に変形し、鍔部１０ｂの軸部側１０ｂ′が支持体３０に当たる迄、軸孔３１ｂ内面を案内面として挿入される。
【００５５】
鍔部１０ｂの軸部側１０ｂ′が支持体３０の段差部３２に当たるところでは、係止爪１０ｅはまだボス部３１の係止部３１ｃに達していない。左右風向板１０の軸部１０ｃの外径から段差部３２の内径までの環状領域Ｅでは鍔部１０ｂと支持体３０とが組立て状態で図４（ｃ）のギャップｇを持つようにし、且つ、この環状領域Ｅの中に弾性的又は粘弾性的変形が可能なように薄肉部を形成しておくことで、更に左右風向板１０に押込む力を加えると、鍔部１０ｂが弾性的又は粘弾性的に変形し、係止爪１０ｅが係止部３１ｃに達する。
【００５６】
しかし、この状態でも、係止爪１０ｅの先端が軸孔３１ｂの内面を押しながら挿入する時に生ずるダレや、往々にして、この部に設けられることの多いパーティングラインによって生ずる成形上のバリなどにより、係止爪１０ｅが軸孔３１ｂに引っ掛かって、部分軸１０ｄの弾性で係止爪１０ｅが拡がるのが妨げられる。
【００５７】
係止爪１０ｅが係止部３１ｃに達してから、尚も左右風向板１０に押し込む力を加えると、鍔側孔端３１ａと鍔部１０ｂの間のギャップｇの分、鍔部１０ｂが弾性的又は粘弾性的に変形して、左右風向板１０を更に押し込むことができる。左右風向板１０をこのように、更に押し込むことで係止爪１０ｅが係止部３１ｃを完全に乗り越え、部分軸１０ｄの弾性で係止爪１０ｅが拡がり、係止部３１ｃに引っ掛かるようになる。
【００５８】
次に、左右風向板１０を押込むのを止めると、鍔部１０ｂの弾性又は粘弾性で左右風向板１０が少し元に戻って、係止爪１０ｅが係止部３１ｃに密着し、且つ、鍔部１０ｂに残った変形による弾性力又は粘弾性力で、左右風向板１０は鍔部１０ｂと係止爪１０ｅで支持体３０を挟持し、がたつきも無く、しっかりと支持体３０に固定される。
【００５９】
これにより、左右風向板１０の鍔部１０ｂと支持体３０が密着し、左右風向板１０を固定する軸孔３１ｂを通して流入する室内空気を遮断して、左右風向板１０近辺の露付現象を抑制する。
【００６０】
なお、左右風向板１０を回動させる時の操作力は鍔部１０ｂの軸方向の弾性的な特性と、左右風向板１０と支持体３０との間の摩擦係数で決まり、これらを適宜に選択することで、適切な操作力にすることができ、従来のように、僅かな寸法差を管理する必要が無くなり、製作工数を減らすことができる。
【００６１】
このとき、図４の（ｃ）のように、ボス部３１に孔設された軸孔３１ｂの鍔側孔端３１ａと鍔部の軸部側１０ｂ′が当接しないでギャップｇが生ずるように関係寸法を決めることで、上記のような左右風向板１０の固定が可能になる。
【００６２】
このように、実施例の空気調和機の左右風向板の支持構造は、左右風向板の支持体に設けたボス部に左右風向板の軸部を挿入して支持し、左右風向板を軸部周りに回動させて風向を変更し、左右風向板の軸部と風向部の間に鍔部を設け、軸部にスリットを入れて軸方向に分割して複数の部分軸にし、少なくとも２以上の部分軸の先端に左右風向板をボス部に係止する係止爪を形成すると共に、ボス部に孔設された軸孔の鍔側孔端と鍔部が当接しない。
【００６３】
一般に、運転中の室内機の風路を流れる空気の圧力は静圧と動圧に分けられ、風路の静圧と室内の静圧（室内空気の動きは室内機内の空気の流れに比べて非常に小さいので動圧はきわめて小さく、室内空気の圧力のほとんど全てが静圧と見做せる。）に差があると、僅かな隙間からでも空気が出入りし、冷房運転で冷えた部分に、室内の湿度の高い空気が触れるとその部分に露付が生ずる。
【００６４】
露付の量は隙間を出入りする空気の量によって左右され、出入りする空気の量が多い場合は、無視できない量となり、室内機周囲に滴下したり、吹出し口から飛散したりして、室内を汚す恐れがある。出入りする空気の量が少ない場合は、露が付かず、又は、付いた露玉が成長せず、室内機内に留まり、室内を汚す恐れは無い。
【００６５】
左右風向板の位置にこのような隙間がある場合、左右風向板が吹出し口に近いため、風路の静圧（室内の空気の圧力を基準値ゼロとして、正又は負で表す。）は負になり、室内機の背面から室内空気が吹出し風路内に流入し、隙間が大きいと冷房運転時にこの近辺に露付現象が生ずる。
【００６６】
実施例の空気調和機の左右風向板の支持構造では、左右風向板の鍔部が支持体に密着して当接することで、ケーシングを境とした吹出し風路と室内機背面との間の空気の流通が極めて少なくなり、冷房運転時に生じていた思わぬ場所への露付が解消される。
【００６７】
また、左右風向板の取付けで左右風向板の軸部を支持体のボス部に挿入する時、係止爪が軸孔内面に押されて内方に変形し、鍔部の軸部側が支持体の段差部に当たる迄、軸孔内面を案内面として挿入される。鍔部の軸部側が支持体の段差部に当るところでは、係止爪はまだボス部の係止部に達していない。更に左右風向板に押込む力を加えると、鍔部が弾性的に変形し、係止爪が係止部に達する。
【００６８】
しかし、この状態でも、係止爪の先端が軸孔の内面を押しながら挿入する時に生ずるダレや、往々にして、この部に設けられることの多いパーティングラインによって生ずる成形上のバリなどにより、係止爪が軸孔に引っ掛かって、部分軸の弾性で係止爪が拡がるのが妨げられる。
【００６９】
係止爪が係止部に達してから、尚も風向板に押し込む力を加えると、鍔側孔端と鍔部の間のギャップ分、鍔部が弾性的に変形して、左右風向板を更に押し込むことができる。左右風向板をこのように、更に押し込むことで係止爪が係止部を完全に乗り越え、部分軸の弾性で係止爪が拡がり、係止部に引っ掛かるようになる。
【００７０】
次に、左右風向板を押込むのを止めると、鍔部の弾性で左右風向板が少し元に戻って、係止爪が係止部に密着し、且つ、鍔部に残った変形による弾性力で、左右風向板は鍔部と係止爪で支持体を挟持し、がたつきも無く、しっかりと支持体に固定される。これにより、左右風向板を回動操作する時も、スムーズに回動できて、且つ、意図したところにしっかりと止めることができ、更に、ビビリ音も無くなって音が静かになる。
【００７１】
なお、左右風向板を回動させる時の操作力は鍔部の軸方向の弾性的な特性と、左右風向板と支持体との間の摩擦係数で決まり、これらを適宜に選択することで、適切な操作力にすることができ、従来のように、僅かな寸法差を管理する必要が無くなり、製作工数を減らすことができる。
【００７２】
このため、思わぬ場所への露付が解消し、操作性が良く、支持体にしっかり立設できて安定性が良い空気調和機の左右風向板の支持構造を提供することができる。
【００７３】
なお、実施例では左右風向板を室内機背面側のケーシングに固定する場合について説明しているが、吹出し風路の反対側（実施例の配置で言うと露皿側）のケーシングに固定する場合も同様の効果を得ることができる。
【００７４】
また、上述の環状領域Ｅの中の弾性変形が可能な薄肉部は、鍔部１０ｂの材質を選ぶことにより、必ずしも薄肉に形成する必要は無く、左右風向板１０の取付け作業で必要な変形量が、環状領域Ｅで弾性的又は粘弾性的にもたらされる構造であれば、その形状は薄肉であることを問わない。
【００７５】
また、鍔部１０ｂの支持体３０との当接部４０になる鍔部の軸部側１０ｂ′から、係止爪１０ｅまでの装着後の軸方向の距離ａ（図４の（ｃ）に図示）が、装着前の鍔部の軸部側１０ｂ′から係止爪１０ｅまでの軸方向の距離Ａ（図４の（ａ）に図示）以上になる。つまり、ａ≧Ａの関係になる。
【００７６】
このように、実施例の空気調和機の左右風向板の支持構造は、前記左右風向板を前記ボス部に装着したときに前記鍔部と前記支持体とが当接する当接部から、前記係止爪までの軸方向の距離の、装着後の距離が、装着前の距離以上になる。
【００７７】
これにより、鍔部の弾性的な変形によって、左右風向板が当接部と係止爪とでしっかりと支持体を挟持し、安定した左右風向板の装着が可能になる。
【００７８】
このため、操作性が良く、支持体にしっかり立設できて安定性が良い空気調和機の左右風向板の支持構造を提供することができる。
【００７９】
また、支持体３０の鍔部との当接部４０になる段差部３２から、ボス部３１の係止部３１ｃまでの軸方向の距離Ｂ（図４の（ｂ）に図示）を、装着前の鍔部の軸部側１０ｂ′から係止爪１０ｅまでの軸方向の距離Ａ（図４の（ａ）に図示）以上にする。つまり、Ｂ≧Ａの関係にする。
【００８０】
このように、実施例の空気調和機の左右風向板の支持構造は、前記左右風向板を前記ボス部に装着したときに前記鍔部と前記支持体とが当接する当接部から、前記係止爪が係止する、ボス部の係止部までの、支持体における軸方向の距離が、前記ボス部に装着する前の左右風向板の、該当接部から、係止爪までの軸方向の距離以上にする。
【００８１】
これにより、鍔部の弾性的な変形によって、左右風向板が当接部と係止爪とでしっかりと支持体を挟持し、安定した左右風向板の装着が可能になる。
【００８２】
このため、操作性が良く、支持体にしっかり立設できて安定性が良い空気調和機の左右風向板の支持構造を提供することができる。
【００８３】
また、支持体３０の鍔部との当接部４０になる段差部３２から、ボス部３１の係止部３１ｃまでの軸方向の距離Ｂ（図４の（ｂ）に図示）、及び、装着前の鍔部の軸部側１０ｂ′から係止爪１０ｅまでの軸方向の距離Ａ（図４の（ａ）に図示）を、ボス部３１の鍔側孔端３１ａから、係止部３１ｃまでの軸方向の距離Ｃ（図４の（ｂ）に図示）より大きくする。つまり、Ｂ，Ａ＞Ｃの関係にする。勿論、この時も、前述のＢ≧Ａの関係は維持するのでＢ≧Ａ＞Ｃの関係になる。
【００８４】
このように、実施例の空気調和機の左右風向板の支持構造は、前記係止爪が係止する、前記ボス部の係止部から、前記当接部までの、支持体における軸方向の距離、及び、該ボス部に装着する前の左右風向板の、前記当接部から、該係止爪までの軸方向の距離が、係止部から、ボス部に孔設された軸孔の前記鍔部側の鍔側孔端までの距離より大きい。
【００８５】
これにより、左右風向板の鍔部の軸部側の面を単一平面とすることで、ボス部に孔設された軸孔の鍔側孔端と鍔部が当接しない構造になり、鍔部の軸部側の面を中心が凹になる形状にするよりも、スライド型を削減でき、成形型の設計，製作が容易になって、製造コストを低減できる。
【００８６】
このため、成形型を簡易化して製造コストを低減できる空気調和機の左右風向板の支持構造を提供することができる。
【実施例２】
【００８７】
次に、実施例２の左右風向板の支持構造について図５を用いて説明する。図５は本発明の実施例２の左右風向板支持構造の説明図、（ａ）は左右風向板の軸部拡大図、（ｂ）は支持体のボス部拡大図、（ｃ）は左右風向板取付け状態断面図である。
【００８８】
実施例２の左右風向板の支持構造では、軸部開始隅１０ｇから、係止爪１０ｅまでの軸方向の距離Ｄ（図５の（ａ）Ｐ部拡大図に図示）を、装着前の鍔部の軸部側１０ｂ′から係止爪１０ｅまでの軸方向の距離Ａ（図５の（ａ）に図示）より大きくする。つまり、Ｄ＞Ａの関係にする。これによって、鍔部１０ｂの軸部開始隅１０ｇとボス部３１の鍔側孔端３１ａの間のギャップｇ（図５の（ｃ）に図示）が生ずる。
【００８９】
このように、実施例の空気調和機の左右風向板の支持構造は、前記左右風向板の前記鍔側の軸部開始隅から、前記係止爪までの軸方向の距離が、左右風向板装着前の前記当接部から、係止爪までの軸方向の距離より大きい。
【００９０】
これにより、支持体の当接部と鍔側孔端を単一平面とすることで、ボス部に孔設された軸孔の鍔側孔端と鍔部が当接しない構造になり、鍔部の軸部側の面を単一平面にして、支持体の当接部より、鍔側孔端を一段下げるよりも、支持体の成形型の当接部、鍔側孔端部分の製作が容易になって、製造コストを低減できる。
【００９１】
このため、成形型を簡易化して製造コストを低減できる空気調和機の左右風向板の支持構造を提供することができる。
【００９２】
なお、左右風向板１０の鍔部１０ｂが支持体３０に当接する部分をケーシング９の吹出し風路面から掘り下げて、段差ｄ（図４、５の（ｂ）に図示）のように段差部を設け、その中に鍔部１０ｂを収納するのも良い。
【００９３】
このように、実施例の空気調和機の左右風向板の支持構造は、前記支持体の前記当接部を支持体表面より沈み込ませて段差を設ける。
【００９４】
一般に、室内機１７に多用される貫流ファンは吹出し風路部のケーシング９に沿って流れ、このケーシング９から突起が出ていると突起から後流に渦が生じ、この渦に吹出し口からの室内空気が巻き込まれ、騒音が生じたり、冷房時には高湿の室内空気が巻き込まれることによって吹出し風路内に結露が発生することが有り、成長した露玉が吹出し空気に吹き飛ばされて吹出し口周囲の室内に飛散する恐れがある。
【００９５】
実施例の空気調和機の左右風向板の支持構造では、ケーシング９から吹出し風路に突き出す左右風向板１０の鍔部１０ｂの突き出し寸法が小さくなる。これにより、ケーシング９に沿って流れる吹出し空気の乱れが小さくなり、発生する渦も小さくなって、室内空気を巻き込む度合いが少なくなり、結露が生じたときでもその成長が露玉の小さい段階で停まって、吹出し口から飛散する恐れが非常に小さくなる。
【００９６】
また、寸法のばらつきなどにより生ずる左右風向板のがたつきをなくすために、やむを得ず、ボス部の係止部から、当接部までの、支持体における軸方向の距離又は左右風向板の当接部から、係止爪までの距離を、左右風向板の取付け時点で調整する必要が生じた場合に、支持体又は左右風向板の当接部に調整用のワッシャー状の薄板を介在させる時、段差により、薄板の移動が制限される。
【００９７】
この時、薄板の大きさを鍔部の大きさと略等しくすると、薄板の中心位置がほぼ段差の中心位置に固定される。この中心位置はまた、軸部の中心位置になるので、薄板は鍔部から大きくはみ出すことがなく、外観を乱すことが無い。
【００９８】
段差がなく薄板が鍔部から大きくはみ出すと左右風向板と支持体との接触が一様でなくなるので、左右風向板の操作力もばらついてくるが、このような不具合も未然に防止できる。
【００９９】
また、段差がない場合、薄板が鍔部からはみ出さないようにするため、薄板を鍔部又は支持体に接着剤等で固定しなければならないが、この時には、接着剤のはみ出しや、接着剤の意図しない部分への付着など、作業に当って、細心の注意を必要とし、製造コストの上昇につながる。このような事態も段差を適切に設けることで解消することができる。
【０１００】
このため、寸法調整用の薄板の位置が固定され操作力のバラツキが小さくなる空気調和機の左右風向板の支持構造を提供することができる。
【０１０１】
なお、実施例は片持ちで固定した左右風向板を例に取り説明しているが、本発明はこれに限定されるものではなく、両端固定の風向板の片側に本構造を採用することもでき、上下風向板の固定にも応用できるのはいうまでも無く、また、縦長の吹出し口を持った空気調和機の両端固定の左右風向板の片側や片持ち固定の上下風向板に採用できるのも自明の理である。
【０１０２】
以上説明したように、請求項１記載の空気調和機の左右風向板の支持構造によれば、左右風向板の支持体に設けたボス部に左右風向板の軸部を挿入して支持し、左右風向板を軸部周りに回動させて風向を変更し、左右風向板の軸部と風向部の間に鍔部を設け、軸部にスリットを入れて軸方向に分割して複数の部分軸にし、少なくとも２以上の部分軸の先端に左右風向板をボス部に係止する係止爪を形成すると共に、ボス部に孔設された軸孔の鍔側孔端と鍔部が当接しない。
【０１０３】
これにより、左右風向板の鍔部が支持体に密着して当接することで、ケーシングを境とした吹出し風路と室内機背面との間の空気の流通が極めて少なくなり、冷房運転時に生じていた思わぬ場所への露付が解消される。
【０１０４】
また、左右風向板の取付けで左右風向板の軸部を支持体のボス部に挿入する時、係止爪が軸孔内面に押されて内方に変形し、鍔部の軸部側が支持体の段差部に当たる迄、軸孔内面を案内面として挿入される。鍔部の軸部側が支持体の段差部に当たるところでは、係止爪はまだボス部の係止部に達していない。更に左右風向板に押込む力を加えると、鍔部が弾性的に変形し、係止爪が係止部に達する。
【０１０５】
しかし、この状態でも、係止爪の先端が軸孔の内面を押しながら挿入する時に生ずるダレや、往々にして、この部に設けられることの多いパーティングラインによって生ずる成形上のバリなどにより、係止爪が軸孔に引っ掛かって、部分軸の弾性で係止爪が拡がるのが妨げられる。
【０１０６】
係止爪が係止部に達してから、尚も風向板に押し込む力を加えると、鍔側孔端と鍔部の間のギャップ分、鍔部が弾性的に変形して、左右風向板を更に押し込むことができる。左右風向板をこのように、更に押し込むことで係止爪が係止部を完全に乗り越え、部分軸の弾性で係止爪が拡がり、係止部に引っ掛かるようになる。
【０１０７】
次に、左右風向板を押込むのを止めると、鍔部の弾性で左右風向板が少し元に戻って、係止爪が係止部に密着し、且つ、鍔部に残った変形による弾性力で、左右風向板は鍔部と係止爪で支持体を挟持し、がたつきも無く、しっかりと支持体に固定される。これにより、左右風向板を回動操作する時も、スムーズに回動できて、且つ、意図したところにしっかりと止めることができ、更に、ビビリ音も無くなって音が静かになる。
【０１０８】
なお、左右風向板を回動させる時の操作力は鍔部の軸方向の弾性的な特性と、左右風向板と支持体との間の摩擦係数で決まり、これらを適宜に選択することで、適切な操作力にすることができ、従来のように、僅かな寸法差を管理する必要が無くなり、製作工数を減らすことができる。
【０１０９】
このため、思わぬ場所への露付が解消し、操作性が良く、支持体にしっかり立設できて安定性が良い空気調和機の左右風向板の支持構造を得ることができる。
【０１１０】
また、請求項２記載の空気調和機の左右風向板の支持構造によれば、前記左右風向板を前記ボス部に装着したときに前記鍔部と前記支持体とが当接する当接部から、前記係止爪までの軸方向の距離の、装着後の距離が、装着前の距離以上になる。
【０１１１】
これにより、鍔部の弾性的な変形によって、左右風向板が当接部と係止爪とでしっかりと支持体を挟持し、安定した左右風向板の装着が可能になる。
【０１１２】
このため、操作性が良く、支持体にしっかり立設できて安定性が良い空気調和機の左右風向板の支持構造を得ることができる。
【０１１３】
また、請求項３記載の空気調和機の左右風向板の支持構造によれば、前記左右風向板を前記ボス部に装着したときに前記鍔部と前記支持体とが当接する当接部から、前記係止爪が係止する、ボス部の係止部までの、支持体における軸方向の距離が、前記ボス部に装着する前の左右風向板の、該当接部から、係止爪までの軸方向の距離以上にする。
【０１１４】
これにより、鍔部の弾性的な変形によって、左右風向板が当接部と係止爪とでしっかりと支持体を挟持し、安定した左右風向板の装着が可能になる。
【０１１５】
このため、操作性が良く、支持体にしっかり立設できて安定性が良い空気調和機の左右風向板の支持構造を得ることができる。
【０１１６】
また、請求項４記載の空気調和機の左右風向板の支持構造によれば、前記係止爪が係止する、前記ボス部の係止部から、前記当接部までの、支持体における軸方向の距離、及び、該ボス部に装着する前の左右風向板の、前記当接部から、該係止爪までの軸方向の距離が、係止部から、ボス部に孔設された軸孔の前記鍔部側の鍔側孔端までの距離より大きい。
【０１１７】
これにより、左右風向板の鍔部の軸部側の面を単一平面とすることで、ボス部に孔設された軸孔の鍔側孔端と鍔部が当接しない構造になり、鍔部の軸部側の面を中心が凹になる形状にするよりも、スライド型を削減でき、成形型の設計，製作が容易になって、製造コストを低減できる。
【０１１８】
このため、成形型を簡易化して製造コストを低減できる空気調和機の左右風向板の支持構造を得ることができる。
【０１１９】
また、請求項５記載の空気調和機の左右風向板の支持構造によれば、前記左右風向板の前記鍔側の軸部開始隅から、前記係止爪までの軸方向の距離が、左右風向板装着前の前記当接部から、係止爪までの軸方向の距離より大きい。
【０１２０】
これにより、支持体の当接部と鍔側孔端を単一平面とすることで、ボス部に孔設された軸孔の鍔側孔端と鍔部が当接しない構造になり、鍔部の軸部側の面を単一平面にして、支持体の当接部より、鍔側孔端を一段下げるよりも、支持体の成形型の当接部，鍔側孔端部分の製作が容易になって、製造コストを低減できる。
【０１２１】
このため、成形型を簡易化して製造コストを低減できる空気調和機の左右風向板の支持構造を得ることができる。
【０１２２】
また、請求項６記載の空気調和機の左右風向板の支持構造によれば、前記支持体の前記当接部を支持体表面より沈み込ませて段差を設ける。
【０１２３】
これにより、ケーシング９から吹出し風路に突き出す左右風向板１０の鍔部１０ｂの突き出し寸法が小さくなる。これにより、ケーシング９に沿って流れる吹出し空気の乱れが小さくなり、発生する渦も小さくなって、室内空気を巻き込む度合いが少なくなり、結露が生じたときでもその成長が露玉の小さい段階で停まって、吹出し口から飛散する恐れが非常に小さくなる。
【０１２４】
また、寸法のばらつきなどにより生ずる左右風向板のがたつきを無くすために、やむを得ず、ボス部の係止部から、当接部までの、支持体における軸方向の距離又は左右風向板の当接部から、係止爪までの距離を、左右風向板の取付け時点で調整する必要が生じた場合に、支持体又は左右風向板の当接部に調整用のワッシャー状の薄板を介在させる時、段差により、薄板の移動が制限される。
【０１２５】
この時、薄板の大きさを鍔部の大きさと略等しくすると、薄板の中心位置がほぼ段差の中心位置に固定される。この中心位置はまた、軸部の中心位置になるので、薄板は鍔部から大きくはみ出すことがなく、外観を乱すことが無い。
【０１２６】
段差がなく薄板が鍔部から大きくはみ出すと左右風向板と支持体との接触が一様でなくなるので、左右風向板の操作力もばらついてくるが、このような不具合も未然に防止できる。
【０１２７】
また、段差がない場合、薄板が鍔部からはみ出さないようにするため、薄板を鍔部又は支持体に接着剤等で固定しなければならないが、この時には、接着剤のはみ出しや、接着剤の意図しない部分への付着など、作業に当たって、細心の注意を必要とし、製造コストの上昇につながる。このような事態も段差を適切に設けることで解消することができる。
【０１２８】
このため、寸法調整用の薄板の位置が固定され操作力のバラツキが小さくなる空気調和機の左右風向板の支持構造を得ることができる。
【符号の説明】
【０１２９】
１  前面パネル
１ａ  開閉用パネル
２  上面グリル
３  ユニット枠
４  プレフィルター
５  空清フィルター
６  連結部材
７  熱交換器
８  送風ファン
９  ケーシング
１０  左右風向板
１０ａ  風向部
１０ｂ  鍔部
１０ｂ′  鍔部の鍔部側
１０ｃ  軸部
１０ｄ  部分軸
１０ｅ  係止爪
１０ｆ  スリット
１０ｇ  軸部開始隅
１１  上下風向板
１２  電装部
１３  回転軸
１４  冷媒用銅パイプ
１５  吹出口
１６  吸込口
１７  室内機
１８  表示部
１９  受光部
２０  リモコン
２１  接続配管
２２  室外機
２３  ドレン配管
２４  露皿
３０  支持体
３１  ボス部
３１ａ  鍔側孔端
３１ｂ  軸孔
３１ｃ  係止部
３２  段差部
４０  当接部
Ａ  装着前の鍔部の軸部側から係止爪までの軸方向の距離
ａ  装着後の鍔部の軸部側から係止爪までの軸方向の距離
Ｂ  支持体の鍔部との当接部からボス部の係止部までの軸方向の距離
Ｃ  ボス部の係止部から鍔側孔端までの軸方向の距離
Ｄ  軸部開始隅から係止爪までの軸方向の距離
ｄ  支持体当接部の段差
Ｅ  風向板の軸部外径と支持体当接部内径の間の環状領域
ｇ  鍔部の軸部開始隅とボス部の鍔側孔端の間のギャップ
【図１】
2011169501.tif 000003
【図２】
2011169501.tif 000004
【図３】
2011169501.tif 000005
【図４】
2011169501.tif 000006
【図５】
2011169501.tif 000007
【図６】
2011169501.tif 000008